(57)【特許請求の範囲】
【請求項１】
木製パネルの内壁の全てに防湿シートを貼って気密にした木製保管庫において、
木製パネル同士の接合部には接合具を設けて接合し、該接合具はレバーを回動して木製パネル相互を締め付けて気密に接合するものであって、該接合具は嵌合ネジ部が設けられ、該嵌合ネジ部には偏心した回動軸と回動軸には斜行ネジ刃が設けられ、前記レバーを回動することによって、前記斜行ネジ刃が嵌合ネジ部の外周より突出して対向する木製パネルの嵌合孔の壁面に食い込み奥に進行して、木製パネル相互を締め付けて気密に接合することを特徴とする木製防湿保管庫。
【発明の詳細な説明】
【０００１】
【発明の属する技術分野】
本発明は、木製の保管庫に除湿機能を備えた木製防湿保管庫に関する技術分野に属する。
【０００２】
【従来の技術】
日本列島は湿度が高く、押入れ、タンス、靴箱等の収納品にカビが発生する原因となっており、カビを発生を防ぐためには、ほぼ50％以下にする必要があり、室内に除湿機を使用したり、押入除湿機を使用しているが、特開平6-154487号公報に示されるような収納庫は、押入やクローゼットが対象であって気密性を余り考慮しておらず、特に木製の収納庫においては、扉や接合部は勿論のこと、木肌からも湿気が収納庫の室内に侵入するため、除湿器を設けても外部からの加湿空気の侵入により大量消費電力を必要し、また、除湿手段もドレインホースを必要とする。
この為、常に水の処理を考慮しなければならず、どこにでも設置すことはできないため家具としては不適当であった。また、通常、防湿機能を有する保管庫は鉄製であって、金枠を製作して同じものを大量に生産するには向いているが、多種少量生産には経済的に不利である。
更に、鉄製の保管庫は外観品質が冷たく、高級家具にはふさわしくなかった。
【０００３】
そこで、本発明者らは、通常の木製保管庫において、木製パネルの接合部をどんなに密接に接合しても、長時間高湿度の雰囲気状態に放置すると木質部の表面から裏面に湿気が貫通して、木製保管庫内の湿度を上昇させてしまうこと、また、通常の除湿器等を保管庫に設置しても多くの電力を消費してしまうことを見出し、このために、保管庫内に除湿器を設置しても、無駄な電力を必要とし不経済となるため、湿気(ガス)が貫通しないフィルムやシートを保管庫の内周面および外周面に施せば除湿についても小電力で済むことに想到した。
そして、除湿手段についてもペルチェ効果を利用した電子冷却半導体を用い、半導体用の放熱ファンによって水滴を発散放出するのに用いた構造の除湿装置を使用することによって、前述の保管庫の壁構造と相俟って保管庫内に広い保管スペースを確保し、半永久的で消費電力が極めてすくなく、高級感のあるにも拘わらず、安価に製作できる木製防湿保管庫を特願2000-121255号として提案している。
【０００４】
【発明が解決しようとする課題】
しかしながら、特願2000-121255号に記載された発明は、半永久的で消費電力が極めて少くない木製防湿保管庫であるが、通常の家具と同様に、体積が大きく運搬に手間がかかり、また保管場所も広くなければならないといった問題があった。
本発明は、上記の問題点に鑑みてなされたもので、その課題は、木製の保管庫であって、木製防湿保管庫としての気密性を保持しながら、現地で簡単に組み立てられ、運搬が容易で保管場所も少なくて済む木製防湿保管庫を提供することにある。
【０００５】
【課題を解決するための手段】
上記の課題を解決するために、請求項１の発明は、木製パネルの内壁の全てに防湿シートを貼って気密にした木製保管庫において、木製パネル同士の接合部には接合具を設けて接合し、該接合具はレバーを回動して木製パネル相互を締め付けて気密に接合するものであって、該接合具は嵌合ネジ部が設けられ、該嵌合ネジ部には偏心した回動軸と回動軸には斜行ネジ刃232が設けられ、レバーを回動することによって、前記斜行ネジ刃が嵌合ネジ部の外周より突出して対向する木製パネルの嵌合孔19の壁面に食い込み奥に進行して、木製パネル相互を締め付けて気密に接合することを特徴とする木製防湿保管庫である。
【０００６】
【発明の実施の形態】
以下、本発明の好適な木製防湿保管庫の１実施例を図面に沿って説明する。
図１は、木製防湿保管庫１の全体を示すもので、巾180cm・高さ100cm・奥行き60cmの大きさで、裏面や扉を含めて全ての面(６面)は木質を主体にした厚さ約２０から２４mmのフラッシュ構造の防湿処理した木製パネル11であって、正面は両開きの木製開閉扉12が配置され、他は木製パネル11から構成され、側部の側面木製パネル111の底部には除湿器4が設置されている。
裏面や扉を含めて全ての面(６面)は木質を防湿処理したフラッシュ構造の木製パネル11とする意味は、上述したように、長時間高湿度の雰囲気状態に放置すると木質部の表面から裏面に湿気が貫通して、木製保管庫内の湿度を上昇させてしまうからであり、従来この種の家具では裏板は通常の１枚板としていたが、これでは湿度の上昇を防ぐことができないことから、保管庫の裏面の裏板や扉も含めて全ての面(６面)をフラッシュ構造の防湿処理した木製パネル11としたのである。
除湿器4の湿度の設定は前面パネルの上方に除湿器４の除湿設定や他の調整機能等の操作部３が設けられ、コード31は除湿器4を作動させるための電源コードである。なお、除湿器４の除湿設定や本体ユニット付き調整機能等の操作部３は、全面パネル外の庫１内あるいは庫１外の除湿ユニットに設けても良い。
【０００７】
二枚の木製パネル11a,11bの構成は、図２に示すように、本実施例はベニヤ板からなる木質本体13の外側表面には木調の印刷木目シート14が貼付され、内側には木質本体13のベニヤと防湿シート16との接着性がよくなるように接合補強材とし外側表面を木調の印刷木目シート14の不織布15が貼付され、内側表面には湿気を完全に遮断し、抗菌剤を混入した無方向の延伸性の薄い厚さ12μの防湿シート16が貼付されている。
なお、木材保管庫の室内を気密加工するために、湿気が貫通しないフィルムは、厚さ12μとしたが、10〜50μ程度の厚さであればよく、特に、無方向に延伸する特性のもので、抗菌剤が混入されたものであればよい。
なお、本実施例では木質本体13をベニヤ板としたが、他の木質の木質系ＭＤＦ(木材等の繊維板)や圧縮コルク材や、これらの組み合わせでもよい。また、内部の模様等の印刷は不織布15の表面に施せばよい。
勿論、本実施例の木製防湿保管庫１は気密性を保つために、木質本体13の合わせ目である木口面やダボ孔等は外気が侵入しないように処理しなければならないが、防湿シート16が360°無方向に延伸性(破断伸度120〜190％)であるために、延伸して木口面やダボ孔等の表面を容易に覆うように加工できる。また、底部には別途防湿シートを配置すればよく、特に、無方向に延伸性である防湿シートは曲面のコーテングには最適であって完全な気密性が得られる。
【０００８】
前記の二枚の木製パネル11a,11bの図２における接合部Ａを、接合前を示す図３に沿って説明すると、木製パネル11bの接合部の近傍の外側には、接合具２が設けられている。
この接合具２は、木製パネル11bの接合具２の取付け凹部17に操作部21を表面側にして取り付けられるが、凹部17は接合具２の裏側の本体円柱部22を収納する円柱凹部(図示せず)が設けられ、円柱部22を円柱凹部(図示せず)に収納して接合部を木製パネル11bを確実に固定する。この際に両側には接合位置を正確にするために木製パネル11a,11bのそれぞれに対応して二対のダボ孔181と、二個のダボ182が設けられいる。
【０００９】
この接合具２の特徴は、接合具２の嵌合ネジ部23を木製パネル11aの嵌合孔19に嵌合させて、操作部21のレバー211を90度回動させるだけで、ワンタッチで木製パネル11aに11bを締め付けるように確実に接合することであるが、この接合具２の詳細な構成を図５・図６に沿って説明する。
図５(d)の(1)に示すように、接合具２の外側には操作部21が設けられ、操作部2には90度に立った状態と、０度の倒れた状態に回動するレバー211が設けられており、このレバー211には一体で回動する嵌合ネジ部23が設けられ、嵌合ネジ部23には偏心した回動軸231が設けられており、回動軸231には３周した斜行ネジ刃232が設けられている。
そして、レバー211を90度立てた開の状態では斜行ネジ刃232は嵌合ネジ部23の外周内に収まっているが、図５(d)の(2)に示すように、レバー211を0度に倒した閉の状態では斜行ネジ刃232は嵌合ネジ部23の外周より突出して、斜行ネジ刃232は木製パネル11aの嵌合孔19の壁面に食い込み、さらに斜行ネジ刃232が壁面をスクリューネジのようにより奥に進行する。
【００１０】
その手順を図５(a)から(c)によって説明すると、図５(a)に示すように、木製パネル11b側の接合具２のレバー211を90度立てた開の状態で嵌合ネジ部23を、図５(b)に示すように、木製パネル11a側の嵌合孔19に挿入し、図５(c)に示すように、木製パネル11a側の嵌合孔19に挿入し、レバー211を0度に倒した閉の状態にする。
この際、前述したように、斜行ネジ刃232は嵌合ネジ部23の外周内に収まり図５(d)の(1)に示すように、嵌合ネジ部23をルーズに嵌合しているが、レバー211を倒した状態では図５(d)の(2)に示すように、斜行ネジ刃232は嵌合ネジ部23の外周より突出して、斜行ネジ刃232は木製パネル11aの嵌合孔19の壁面に食い込み、さらに斜行ネジ刃232が壁面をスクリューネジのようにより奥に進行し、結果として、木製パネル11aに11bを締め付けるように確実に接合することになる。
なお、場合によっては、組立てた木製防湿保管庫を解体することも考えられるが、この場合には図６に示すように逆の操作をすればよく、レバー211を90度立てた開の状態にすれば、嵌合ネジ部23の斜行ネジ刃232は木製パネル11aの嵌合孔19の壁面の食い込みを解除し、簡単に嵌合ネジ部23を嵌合孔19から抜くことができ、簡単に木製防湿保管庫を解体することができる。
この接合手段は、図１における、各木製パネル11と接合部の適所に配備すればよく、木製防湿保管庫として、レバーを回動するだけのワンタッチで、気密性を保持しながら保管庫の木製パネル相互を締め付け、木製パネルを同士を簡単に接合できることから、現地で簡単に組み立てられ、所謂ノックダウン方式を採用することができ、運搬が容易で保管場所も少なくて済む木製防湿保管庫となる。
【００１１】
上記の木製開閉扉12は軽く気密性を高くする必要があり、図７に示すように、磁石を埋め込んだ磁性クッションゴム121を木製開閉扉12の内側には縁に沿って四方向に配設し、一方、木質本体13のクッションゴム121が対応する位置に磁石が吸着する金属板あるいは板状磁石122を配置して、木製開閉扉12を閉めた場合に完全に気密状態なるようにしてある。これは、木製開閉扉12が多少反っても気密状態にすると同時に、木製扉が反り返る等の変形を防いでいるが、更に、軽量にするために木製開閉扉12の内部を断面ハニカム構造にして堅牢軽量にすればよい。
【００１２】
次に、本実施例の除湿手段である除湿器4の構成を図８に沿って説明すると、除湿器4の外観はアウターケース41とインナーケース42からなり側面木製パネル111の底部近傍に取付部43によって垂直に固着されており、木製防湿保管庫1のアウターケース41側には熱放出および湿気放出のための放出開口44が、インナーケース42側には庫1内の湿気を取り入れる取入開口45とが設けられている。なお、取入開口45には金網46が設けられているが、これは、後述する冷却面5aの水滴に庫1内の物品が接触することを防ぐためのものであり、金網以外のスリット板やパンチングパネルでもよい。
除湿器4の主要部は電子冷却半導体５からなるが、この電子冷却半導体５は、ペルチェ効果を利用したもので、湿度センサー61からの信号より制御器６を介して制御されるが、制御された直流電流を流すことによって冷却される冷却面5aと加熱される加熱面5bとから成り立っている。そして、取入開口45に面して電子冷却半導体５の冷却面5aが配置され、冷却面5aが冷却されと庫1内の湿気が冷却面5aに氷結する。一方、冷却面5aが冷却されると加熱面5bが加熱されるが、冷却を促進するために加熱面5bに放熱板51が設けられ、更に放熱ファン52が設けられている。
【００１３】
そして、一定時間経過後に、電子冷却半導体５の電源を制御器６により制御することにより、本実施例では、湿度が50％以上に成った場合には電子冷却半導体５の電源をONにして冷却を開始し、湿度が20％程度になった時は冷却を停止すると冷却面5aに氷結した水分が水滴となって落下し、落下した水滴は水受け47に設けられたウレタン53に浸み込み、前記の放熱ファン52はウレタン樹脂53に浸み込んだ水を蒸発させ、蒸発した湿気を庫1外に発散放出する作用も有している。
なお、制御器６の制御方法は、他にも、積極的に直流電流の極性を反転させ、電子冷却半導体５の冷却面5aを温めて氷結した水分を、急速に水滴として下に落下させてもよい。
【００１４】
また、電子冷却半導体５が作動していな場合はシャッタ64が閉まっていて外気が庫1内に侵入することを阻止しているが、電子冷却半導体５が作動し放熱板51も熱せられると形状記憶バネ65が縮んでシャッタ64を開いて湿気の多い空気を庫1外に放出する。勿論、シャッタ64は湿度センサー61により小型モータあるいはソレノイド等で作動させてもよく、また、場合によっては、この空気通路は水を吸収のウレタンで一応は遮断されているので無くてもよい。
本発明および実施例におけるファンの意味するところは、水滴を庫1外に排出しないことであって、他に同等の排気方式があれば適宜これを採用すればよい。
以上のような構成で、前述の大きさの木製防湿保管庫で、湿度65％の雰囲気で湿度制御範囲を20％から50％に設定した場合の消費電力は、僅かに7.5W/hとなり、防湿処理を施さない同じ保管庫に比べて、1/3以下の消費電力の節約が確認された。
【００１５】
以上説明したように、本実施例においては、木製保管庫であっても除湿の消費電力が少なく、木製であることから高級家具の外観が得られ、加工が金属製に比べて容易であることから多種少量生産が可能となり、湿気をファンで発散せることから、設置場所の制限が少なくなる。
【００１６】
なお、本発明の特徴を損うものでなければ、上記の実施例に限定されるものでないことは勿論である。例えば、接合具２は、ワンタッチで相互の木製パネルを締め付けるように確実に接合することができればネジ型でなくてもよく、接合具２の設けてある箇所は、木製パネル11と同じ模様のカバーをもうけて組立て後の誤操作を防いだり、接合具２を目立たなくしてもよく、接合具と接着剤を併用してもよい。
また、外側表面を木調の印刷木目シート14としたが、他の任意の印刷模様でもよく、あるいは、通常の木材を使用してもよく、例えば、防湿収納庫としては不向きな「桐」であっても、内側面を各実施例のような防湿加工を施せば防湿保管庫として使用でき、補強接合材も不織布やフルムの他に紙等も有効である。
【００１７】
また、防湿シート16と補強接合フィルム(図示せず)を設けて、この間に厚さ9μ程度のアルミ箔17を挿入すれば、多少の加熱では燃焼せず、難燃性の保管庫とすることができる。
なお、実施例１と同様に本実施例でも木質本体13をベニヤ板としたが、他の木質の木質系ＭＤＦや圧縮コルク材や、これらの組み合わせでもよく、また、内部の模様等の印刷は防湿シート16の裏面に施せばよい。
更に、湿度センサーは除湿器のインナーケースに配置したが、保管庫内の適所に配置してもよく、必要箇所の複数配置してこれらの全てを検出したり、平均値を検出するようにしてもよく、また、庫1内の湿度が感知できれば制御部に装備してもよい。
【００１８】
また、実施例では保管庫の全てを木製としたが、場合によっては、接合具２あるいは、嵌合孔19が設けられる厚さであれば、床部は湿気を通さない合成樹脂製としてもよい。また、開閉扉は両開きとしたが片開きの１つの扉でもよく、上面に設けてもよく、要は物品を出し入れする構成であればよい。
なお、本発明の防湿保管庫は、家庭家具のみならず、貴重品保管ケースやその他湿度を嫌う物品、例えば、化学品、薬品、医学、光学、食品、骨董、書籍、電子部品等の保管庫に最適であり、広い用途が期待できるものである。
【００１９】
【発明の効果】
以上説明したように、本発明によれば、木製の保管庫であって、木製防湿保管庫としての気密性を保持しながら、レバーを回動するだけのワンタッチで保管庫のパネル同士を簡単に接合でき、そのためノックダウン方式を採用することができ、現地で簡単に組み立てられ、運搬が容易で保管場所も少なくて済み、高級感のあるにも拘わらず、安価に製作できる木製防湿保管庫であるという効果が得られる。
【図面の簡単な説明】
【図１】本発明の好適な木製防湿保管庫の全体の外観斜視図である。
【図２】図１の木製防湿保管庫の木製パネルの接合部分の部分拡大断面図である。
【図３】図２の接合前の木製パネルの接合部分の部分拡大断面図である。
【図４】図２の接合部分に使用する接合具単体のの斜視図である。
【図５】接合具の作動説明図であり、図５(a)は接合前の接合具のレバーを立てた状態の状態図、図５(b)は嵌合ネジ部を木製パネルの嵌合孔に挿入した状態図、図５(c)はレバー211を倒した接合状態を示した状態図、図５(d)の(1)はレバーが立った状態で斜行ネジ刃がフリーの状態、図５(d)の(2)はレバーを倒した状態で斜行ネジ刃が食い込んだ状態の状態図である。
【図６】木製防湿保管庫を解体する場合の接合具の状態を示す状態図である。
【図７】図１の木製防湿保管庫の開閉扉の開状態の斜視図である。
【図８】本発明の木製防湿保管庫に用いる除湿器の側断面図である。
【符号の説明】
１…木製防湿保管庫、11,11a,11b…木製パネル、111…側面木製パネル
12…木製開閉扉、121…磁性クッションゴム、122…金属板あるいは板状磁石、
13…木質本体、14…印刷木目シート、15…不織布(補強接合材)、
16…防湿シート、17…接合具の取付け凹部、181…ダボ孔、182…ダボ、
19…嵌合孔、
２…接合具、21…操作部、211…レバー、22…本体円柱部、23…嵌合ネジ部、
231…回動軸、232…斜行ネジ刃
３…操作部、31…電源コード
４…除湿器、41…アウターケース、42…インナーケース、43…取付部、
44…放出開口、45…取入開口、46…金網、47…水受け
５…電子冷却半導体、5a…冷却面、5b…加熱面、51…放熱板、
52…放熱ファン、53…吸水ウレタン樹脂、
６…制御器、61…湿度センサー、64…シャッタ、65…形状記憶バネ
【図１】
0004647829.tif 000002
【図２】
0004647829.tif 000003
【図３】
0004647829.tif 000004
【図４】
0004647829.tif 000005
【図５】
0004647829.tif 000006
【図６】
0004647829.tif 000007
【図７】
0004647829.tif 000008
【図８】
0004647829.tif 000009